(57)【要約】ロール材料を支持するように適合されたハウジングを含む、ロール状材料を取り出するためのディスペンサ。カバーはハウジングに取り付けられ、該カバーは、開位置まで上方に枢動可能であり、閉位置まで下方に枢動可能である。第１ローラはハウジングに取り付けることができ、第２ローラはカバーに取り付けることができる。取り出し開口部は、カバーがその閉位置にあるときに、ハウジングとカバーとの間に形成され、これによりハウジング内に取り付けられたロール材料の先導部分が第１ローラの上に延びることができるようにする。カバーがその閉位置まで移動すると、該先導部分が第１ローラと第２ローラとの間に形成されるニップ内に捕捉され、従って、ロール状材料の先導部分を各ローラにより形成されるニップを通して送り込む必要性が排除される。
2005525833.tif 000002
【特許請求の範囲】
【請求項１】
ロール状材料を取り出すためのディスペンサであって、
ロール材料を支持するように適合されたハウジングと、
前記ハウジングに取り付けられ、開位置まで上方に枢動可能でありかつ閉位置まで下方に枢動可能なカバーと、
前記ハウジングに取り付けられた第１ローラと、
前記カバーがその最下位置にあるときに、前記第１ローラと互いに隣接して該第１ローラとの間にニップが形成されるように前記カバーに取り付けられた第２ローラと、
前記第１ローラ又は前記第２ローラの一方に係合して、該係合したローラを回転させてニップ内に配置されたロール状材料を取り出すように適合されたアクチュエータと、
前記カバーがその閉位置にあるときに、前記ハウジングと前記カバーとの間に形成される取り出し開口部と、
を備え、
前記ハウジング内に配置されたロール材料の先導部分が第１ローラ上に延びることができ、前記カバーがその閉位置まで動かされると、前記先導部分が前記第１ローラと前記第２ローラとの間に形成されるニップ内に捕捉されることを特徴とするディスペンサ。
【請求項２】
前記ディスペンサ内のロール材料を回転可能に支持するように適合されたロール支持システムを更に備える請求項１に記載のディスペンサ。
【請求項３】
前記ロール支持システムは、各々が前記ハウジングに取り付けられる少なくとも２つの支持体を備える請求項２に記載のディスペンサ。
【請求項４】
前記支持体の少なくとも１つは、後方部分と前方部分とを備え、前記支持体の後方部分は前記ハウジングに取り付けられ、前記支持体の前方部分は前記他方の支持体に向けて押し付けられる請求項３に記載のディスペンサ。
【請求項５】
前記支持体の少なくとも１つに取り付けられ、ロール材料の片側に係合するように適合された係合部材を更に備える請求項３に記載のディスペンサ。
【請求項６】
前記係合部材は、面取り面を有する請求項５に記載のディスペンサ。
【請求項７】
少なくとも１つのスタブロール支持体を更に備える請求項１に記載のディスペンサ。
【請求項８】
前記アクチュエータが、
前記カバーの開口部を貫通して延びる作動ハンドルを有し、前記ハウジングに枢動可能に取り付けられ、歯状縁部を更に有する作動レバーと、
スロットを含み前記作動ハンドルが貫通して延びるガイドと、
前記作動レバーの歯状縁部と係合する一方の位置と前記作動レバーの歯状縁部と係合しない他方の位置との間を移動できるよう前記ハウジングにスライド自在に取り付けられたスライド式アイドラギアと、
を備える請求項１に記載のディスペンサ。
【請求項９】
前記ハウジングが第１取り出し領域を更に備え、前記カバーが第２取り出し領域を更に備え、前記取り出し開口部は、前記カバーがその閉位置にあるときに前記第１取り出し領域と前記第２取り出し領域とによって形成されることを特徴とする請求項１に記載のディスペンサ。
【請求項１０】
ロール状材料を取り出すためのディスペンサであって、
ロール材料を支持するように適合された、第１取り出し領域を有するハウジングと、
第２取り出し領域を有する、閉位置と開位置との間で移動可能なカバーと、
前記カバーがその閉位置にあるときに、前記第１取り出し領域と前記第２取り出し領域とによって形成される取り出し開口部と、
前記ハウジングに取り付けられた第１ローラと、
前記カバーがその開位置にあるときには前記第１ローラと互いに離間して配置され、前記カバーがその閉位置にあるときには前記第１ローラと互いに隣接して該第１ローラとの間にニップが形成されるように前記カバーに取り付けられた第２ローラと、
前記第１ローラ又は前記第２ローラの一方に係合して、該係合したローラを回転させてロール状材料を取り出すように適合された作動機構と、
を備えるディスペンサ。
【請求項１１】
前記ディスペンサ内のロール材料を回転可能に支持するように適合されたロール支持システムを更に備える請求項１０に記載のディスペンサ。
【請求項１２】
前記ロール支持システムは、各々が前記ハウジングに取り付けられる少なくとも２つの支持体を備える請求項１１に記載のディスペンサ。
【請求項１３】
前記支持体の少なくとも１つは、後方部分と前方部分とを備え、前記支持体の後方部分は前記ハウジングに取り付けられ、前記支持体の前方部分は前記他方の支持体に向けて押し付けられる請求項１１に記載のディスペンサ。
【請求項１４】
前記支持体の少なくとも１つに取り付けられ、ロール材料の片側に係合するように適合された係合部材を更に備える請求項１１に記載のディスペンサ。
【請求項１５】
前記係合部材は、面取り面を有する請求項１４に記載のディスペンサ。
【請求項１６】
前記作動機構が、
前記カバーの開口部を貫通して延びる作動ハンドルを有し、前記ハウジングに枢動可能に取り付けられ、歯状縁部を更に有する作動レバーと、
スロットを含み前記作動ハンドルが貫通して延びるガイドと、
前記作動レバーの歯状縁部と係合する一方の位置と前記作動レバーの歯状縁部と係合しない他方の位置との間を移動できるよう前記ハウジングにスライド自在に取り付けられたスライド式アイドラギアと、
を備える請求項１０に記載のディスペンサ。
【請求項１７】
ロール状材料を取り出すためのディスペンサであって、
取り出し領域を有し、ロール材料を支持するように適合されたハウジングと、
取り出し領域を有し、閉位置と開位置との間で移動可能なカバーと、
前記カバーがその閉位置にあるときに、前記ハウジングの取り出し領域と前記カバーの取り出し領域とによって形成される取り出し開口部と、
前記ハウジングに取り付けられ、前記ハウジングの取り出し領域の上方に配置された駆動ローラと、
前記カバーがその開位置にあるときには前記駆動ローラと互いに離間して配置され、前記カバーがその閉位置にあるときには前記駆動ローラと互いに隣接して前記駆動ローラとの間にニップが形成され、前記ハウジング内に配置されたロール材料の先導部分が前記駆動ローラの上を通り前記ハウジングの取り出し領域へ延びることができるようにし、前記カバーがその閉位置にあるときに、前記先導部分が前記第１ローラと前記第２ローラとの間に形成された前記ニップ内に配置されて前記取り出し開口部内に位置付けられるよう前記カバーに取り付けられた加圧ローラと、
前記駆動ローラを回転させてロール状材料を取り出すように適合されたアクチュエータと、
を備えるディスペンサ。
【請求項１８】
前記ディスペンサ内のロール材料を回転可能に支持するように適合されたロール支持システムを更に備える請求項１７に記載のディスペンサ。
【請求項１９】
前記ロール支持システムは、各々は前記ハウジングに取り付けられた少なくとも２つの支持体を有することを特徴とする請求項１８に記載のディスペンサ。
【請求項２０】
前記支持体の少なくとも１つは、後方部分と前方部分とを有し、前記支持体の後方部分が前記ハウジングに取り付けられ、前記支持体の前方部分が前記他方の支持体に向けて押し付けられる請求項１９に記載のディスペンサ。
【請求項２１】
前記支持体の少なくとも１つに取り付けられ、ロール材料の片側に係合するように適合された係合部材を更に備える請求項１９に記載のディスペンサ。
【請求項２２】
前記係合部材は、面取り面を有する請求項２１に記載のディスペンサ。
【請求項２３】
前記アクチュエータが、
前記カバーの開口部を貫通して延びる作動ハンドルを有し、前記ハウジングに枢動可能に取り付けられ、歯状縁部を更に有する作動レバーと、
スロットを含み前記作動ハンドルが貫通して延びるガイドと、
前記作動レバーの歯状縁部と係合する一方の位置と前記作動レバーの歯状縁部と係合しない他方の位置との間を移動できるよう前記ハウジングにスライド自在に取り付けられたスライド式アイドラギアと、
を備える請求項１７に記載のディスペンサ。
【発明の詳細な説明】
【技術分野】
【０００１】
本発明は、ロール状製品のディスペンサに関し、より具体的には、ロール材料をディスペンサ内に簡単かつ容易に装填することを可能にする特徴を備えたディスペンサに関する。
【背景技術】
【０００２】
ペーパータオル、トイレットペーパー、及び同様のものなどのロール状紙製品の取り出しは、空港、製造工場及びショッピングモールといった商業施設においてはよく見られるものである。ロール状紙製品は、トイレ及び作業区域のような、これらの施設内にある種々の場所で取り出される。このような施設においては、メンテナンス要員がこれらの場所を巡回しなければならない回数を最小限にすること、及び巡回毎のディスペンサを処理するのに要する時間を最小限にすることを含め、効率的な方法でサービス要員を活用することが重要となる場合が多い。
【発明の開示】
【発明が解決しようとする課題】
【０００３】
多くの現在利用可能なディスペンサ内にロール材料を取り付ける間、製品を適切に取り出すことができるように、サービス要員はロール状紙製品の前縁を一連のローラに通さなければならない。更に、幾つかのディスペンサは、ロールが特定の方向に回転するようにロール紙製品をディスペンサ内に取り付けることが必要である。ロール紙製品が正しく装填されなかった場合には、該製品は適切に取り出すことができない。これらの形式のディスペンサは、該ロール状紙製品を確実に正しくディスペンサ内に装填して、適切に取り出し機構に通すために、サービス要員が付加的な時間を取ることが必要となる。
【０００４】
従って、ロール紙製品を迅速かつ効率的な方法でディスペンサ内に容易にかつ正しく装填することを可能にするディスペンサを利用することが望ましい。
【課題を解決するための手段】
【０００５】
本発明のディスペンサは、該ディスペンサ内へのロール紙製品の装填を簡単かつ容易にすることができる。本発明によるディスペンサの一実施形態は、ロール材料を支持するように適合されたハウジングを含む。本ディスペンサの選択された実施形態は、使い残しロールを同時に取り出すことを可能にする。カバーはハウジングに取り付けることができ、該カバーは、開位置まで上方に枢動可能であり、閉位置まで下方に枢動可能である。第１ローラは、ハウジングに取り付けることができる。特定の実施形態において、第１ローラは、駆動ローラとすることができる。第２ローラは、カバーがその最下位置にあるときに各ローラが互いに隣接して両ローラ間にニップが形成されるようにカバーに取り付けることができる。幾つかの実施形態において、第２ローラは、加圧ローラとすることができる。
【０００６】
ローラにハウジング内で配置されたロール材料を取り出させる作動機構又はアクチュエータを設けることができる。種々の作動機構を本発明と共に利用することができる。このような作動機構の１つは、第１ローラ又は第２ローラの少なくとも１つに係合して、このようなローラを回転させてロール状材料を取り出すように構成することができる。
【０００７】
取り出し開口部は、カバーがその閉位置にあるときにハウジングとカバーとの間に形成される。幾つかの実施形態において、ハウジングは第１取り出し領域を含むことができ、カバーは第２取り出し領域を含むことができる。このような実施形態における取り出し開口部は、カバーがその閉位置にあるときに第１取り出し領域と第２取り出し領域とによって形成される。
【０００８】
ロール材料をハウジング内に装填するために、カバーがその開位置まで移動され、ロール材料がハウジング内に取り付けられる。このロール材料の先導部分は、第１ローラ上に延びることができる。次いでカバーは、その閉位置まで移動することができる。ロール状材料の先導部分は、第１ローラと第２ローラとの間に形成されたニップ内に捕捉されて、取り出し開口部を通って延びることができる。このようなディスペンサにおいては、ディスペンサ内への材料の個々の装填作業は、ディスペンサ内の種々の開口部にロール材料の先導部分を通すために付加的な時間を取る必要がない。このような実施形態において、該ロールの回転方向に関係なくロールをディスペンサ内に装填することができる。
【発明を実施するための最良の形態】
【０００９】
本発明は、例えばロール状の紙製品のようなロール状材料のディスペンサに関する。本発明によるディスペンサの一実施形態が図１に示されている。ここに示されるディスペンサ１０は、ハウジング１２と、カバー１４と、取り出し開口部１６とを含む。図２に示すように、ハウジング１２は、第１側壁２０と、第２側壁２１と、後壁２２とを含むことができる。カバー１４は、種々の取り付け機構を用いてハウジング１２に取り付けることができる。図１及び図２に示すように、カバー１４は、１つ又はそれ以上のヒンジ４４及びストラット３１を介してハウジング１２に枢動可能に取り付けることができ、カバー１４を開位置まで上方に枢動可能にし、かつ閉位置まで下方に枢動可能となるようにする。別の実施形態において、カバーは横方向へ枢動することができ、ハウジング１２の第１側壁２０又は第２側壁２１のいずれかに枢動可能に取り付けることができる。
【００１０】
図６に見られるように、ストラット３１の端部３３は、カバー１４に取り付けられている。これは、例えば、カバー１４の上部に配置されたリブ３５の機構中に端部３３を圧入するような多くの方法でドーム状にすることができる。ストラット３１の端部３３内に形成された穴９８を通って延びる突起９７を、カバー１４上に設けることができる。開口部３４は、ストラット３１の部分の中心線に沿って延び、所望であれば、一方の端部でカバー１４をその上昇位置に保持することができるように構成される。例えば、また図５に示すように、開口部３４の端部は、カバー１４をその開位置で保持するためにわずかに広げることができる。支柱３２は、該支柱３２がストラット３１の開口部３４内に配置されるようにハウジング１２に取り付けることができる。ストラット３１はまた、同じ又は類似の機能を達成する他の方法でカバー１４に取り付けてもよい。
【００１１】
取り出し開口部１６は、カバー１４とハウジング１２との間に形成される。図２に示すように、第１取り出し領域１８は、ハウジング１２により形成される。第２取り出し領域１７は、カバー１４により形成される。カバー１４が閉位置まで下げられると、取り出し領域１７と１８が取り出し開口部１６を形成する。
【００１２】
幾つかの実施形態において、ロッキングシステムを含み、ディスペンサ１０が権限の無い人員により開けられるのを防止することができる。現在利用可能な種々のロッキングシステムのいずれも本発明と共に用いることができる。
【００１３】
図２から図７に示すように、第１ローラ２４は、ハウジング１２内に取り付けることができる。第１ローラ２４は、当業者により一般にニップローラと呼ばれものとすることができる。このローラは、ハウジング１２に対して固定である。第２ローラ２６は、カバー１４の内側下部へスライド可能に取り付けることができる。第２ローラ２６は、当業者により一般に加圧ローラと呼ばれているものであってよい。カバー１４がその閉位置まで下げられると、第１と第２のローラ２４及び２６が互いに隣接し、該第１ローラ２４と第２ローラ２６との間にニップ２７が形成される。図５に示すように、第２ローラ２６は、バネ１００により第１ローラ２４に押し付けられる。本発明の幾つかの実施形態において、加圧ローラはカバー１４に取り付けることができ、ニップローラはハウジング１２に取り付けることができる。
【００１４】
カッタ３０が設けられ、選択された実施形態において、該カッタはカバー１４上に配置され、第２ローラ２６に近接している。カッタ３０は、使用者が取り出し開口部１６を通じて取り出されたロール状材料の一部を切断するのを助ける。種々の切断機構の組み合わせを用いることができ、カッタ３０をディスペンサ内の種々の位置に配置して、その意図された機能を達成することができる。
【００１５】
本発明の特定の実施形態は、切断保護部１０５を更に含むことができる。図６に示すように、切断保護部１０５は、ディスペンサ１０のサービス中にカッタ３０が人に接触するのを防止するようにディスペンサ１０内に構成及び配置することができる。本発明において多くの様々な切断保護部の構成を用いることができるが、図６に開示する実施形態においては、切断保護部は、カバー１４に回転可能に取り付けられたブラケットとして形成されている。切断保護部１０５の側部１０６は、カバー１４に回転可能に取り付けられる。Ｌ形の壁１０７が、２つの側部１０６間を延びる。カバー１４がその開位置にあるときは、切断保護部１０５は回転して、Ｌ形壁１０７の短い方の部分がカッタ３０の下方でその正面に位置付けられるようにする。カバー１４がその閉位置に移動すると、切断保護部１０７が回転して、ディスペンサ１０がその閉位置にあるときに切断保護部がカッタ３０から離れる方向へ移動しているようにする。幾つかの実施形態において、切断保護部は、ハウジング上の突起によりカッタ３０から離れる方向に移動することができる。
【００１６】
ハウジング１２は、ロール材料を支持するように適合され、ディスペンサ１０内の材料を回転可能に支持するロール支持システムを含むことができる。種々のロール支持システムを本発明に用いることができるが、図２及び図３に示す実施形態は、第１支持体３６及び第２支持体３８を有するロール支持システムを含む。第１及び第２支持体３６及び３８はそれぞれ、これらの意図された目的を達成するための種々の方法で構成することができる。
【００１７】
特定の実施形態において、１つ又はそれ以上のガイドリブ１０２をハウジング１２の後壁２２の内側表面上に位置付けて、ロール材料をその適切な位置に位置決めし及び保持することを助けることができる。図２に示すように、ガイドリブは弓形の形状とすることができる。
【００１８】
第１及び第２の支持体３６及び３８は、それぞれ、種々の構成のロール状紙製品を支持するように適合させることができる。例えば、支持体は、芯なしロール紙製品又は有芯ロール紙製品を係合するように構成することができる。「有芯」ロール紙製品は、その周りに紙製品が巻きつけられる中空の円筒状芯を含む。芯は、ある種のボード紙で形成されることが多く、芯が損なわれず、かつ製品が芯から分離しないように、張り合わせて紙製品に接着される。「芯なし」ロール紙製品は、中空の円筒状芯を含まず、ロールの直径全体にわたって巻かれている。このような製品は、米国特許第５，６２０，１８４号、第５，８７５，９８５号及び第６，０７０，８２１号でより十分に記述されており、これらの全体が本明細書に組み込まれる。
【００１９】
第１及び第２の支持体は、例えば、外方にかつ互いから離れる方向に移動可能とすることができ、ロール材料をディスペンサ内に配置することを可能にし、及び支持体が適切な位置でロール材料と接触して保持することを可能にする。これを達成するために、支持体の一方又は両方を他の支持体の方へ押し付けることができる。
【００２０】
支持体がディスペンサ１０内のロール材料と効果的に係合してこれを適切に保持することを可能にするために、該支持体の各々は、支持体の端部に近接して配置された係合部材４０を含むことができる。各係合部材４０は、ロール材料の片側に接触して、ロールをディスペンサ内のその適切な位置に保持することができる。例えば、幾つかの実施形態において、係合部材４０は、芯なしロール材料の側部の窪みをつけた部分に係合する。有芯ロール材料がディスペンサ１０内に配置される特定の実施形態においては、係合部材４０を芯内に配置して該芯と係合することができる。
【００２１】
図１０及び図１１に示すように、第１支持体３６は、円筒状ハウジング８２のようなハウジング内に封入することができる。ハウジング８２は、多くの様々な方法でハウジングの壁２０に取り付けてもよく、又は壁２０と一体成形してもよい。図１１に示す実施形態において、バネ８４は、第１支持体３６内に配置される。第１支持体３６をハウジング８２内に保持するために、バネ８４は、その一方の端部で第１支持体３６に取り付け、他方の端部でハウジング８２及び／又は壁２０に取り付けることができる。バネ８４は、係合部材４０をハウジングの内部及び第２支持体３８に向けて押し付ける。図１１においては、バネ８４は圧縮された状態で示されている。
【００２２】
図１２は第１支持体３６の別の実施形態を示す。円筒状内壁８６を含む円筒状ハウジング８２が設けられている。第１支持体３６は、内壁８６によりハウジングの外縁部に形成されたハウジングの中央部分に延びる。圧縮バネ８４は、ハウジング８２の内壁８６と外壁との間に配置される。バネ８４は、一方の端部で第１支持体３６に取り付けられ、他方の端部でハウジング８２に取り付けられる。上述したものと同様の方法で、バネ８４は係合部材４０をハウジングの内部及び第２支持体３８に向けて押し付ける。
【００２３】
選択された実施形態において、第１支持体３６は、係合部材４０がハウジング１２に対して固定されるようにハウジング１２の側壁２０に取り付けることができる。
【００２４】
図７に見られるように、第２支持体３８は、前方部分９０と後方部分９２とを有する細長いアーム８８を含むことができる。第２支持体３８は、係合部材４０を含むことができ、幾つかの実施形態において、係合部材４０は、アーム８８の前方部分９０に取り付けることができる。係合部材４０はまた、面取り面４２を含み、ディスペンサ１０内へのロール材料のより容易な取り付けを可能にすることができる。
【００２５】
アーム８８の後方部分９２は、前方部分９０がハウジング１２の内部に向けて押し付けられるようにハウジング１２に取り付けることができる。これは種々の方法で達成することができるが、図３に示すようにアーム８８は、該アーム８８の前方部分の動きに対して内向きに抗するバネ部材９４に取り付けるか、又はこれと一体的に形成することができる。
【００２６】
幾つかの実施形態において、アーム８８の前方部分９０は、側壁２１に向かうアームの動きが制限されるように構成することができる。図２及び図３に示すように、アーム８８は、側壁２２に面するアーム８８の側部に位置付けられた突起１０３を含む。突起１０３は、アーム８８が所望以上に外方に撓むのを防止する。
【００２７】
選択された実施形態において、また図１から図３及び図５から図７に示すように、スタブロール支持部材９６をディスペンサ１０内に設けて、部分的に使用されたロールすなわち「スタブ」ロールをディスペンサ内に支持及び保持することを可能にすることができる。これらのスタブロール支持部材は、限定ではないが、上述の構成を含む種々の構成とすることができる。図５及び図６に示すように、スタブロール支持部材９６は、一方の端部がハウジング１２の後壁２２に取り付けられた可撓性アームを含む。該可撓性アームの他方の端部は係合部材４０を含み、ディスペンサ１０内のスタブロールの適切な保持を可能にする。
【００２８】
スタブロールは、上述した方法と同様の方法でディスペンサ内に挿入することができ、その結果、ロールの前縁が両ローラ２４及び２６の間に位置付けられ、かつカバー１４がその閉位置まで移動される際にニップ２７内に捕捉されるようにする。
【００２９】
両ローラ２４及び２６を回転させてニップ２７内に捕捉された材料を取り出す作動機構、すなわちアクチュエータが本発明において提供される。本発明に有用な１つの特定のアクチュエータは、米国特許第４，１９２，４４２号に記載されており、その全体が本明細書に組み込まれる。例えば、電子アクチュエータ又は自動アクチュエータを含む、広範なアクチュエータを本発明で用いることができる。
【００３０】
図２、図５及び図６に示すように、作動機構は、ガイド５４内のスロット５６を貫通して延びる作動ハンドル５２を有する作動レバー５０を含むことができる。作動ハンドル５２はまた、カバー１４内の開口部５８を貫通して延びる。図１及び図３に示すように、開口部５８は、カバー１４の陥凹部６０内に配置することができる。使用に際し、人が作動ハンドル５２を把持して、これを下方に引き、材料を取り出すことができる。他の形式の作動ハンドルは、ノブ、ボタン、及び同様のものとして形成することができる。
【００３１】
図５及び図６に見られるように、作動レバー５０は、枢動点７０でハウジング１２の第１側壁２０に枢動可能に取り付けることができる。これは、レバー５０を側壁２０から突出する突起に回転可能に取り付けることを含む、様々な方法で実現することができる。突起６６によって端部の一方でハウジング１２に取り付けられるバネ６４を提供することができる。バネ６４の他方の端部は、作動レバー５０に取り付けることができる。幾つかの実施形態において、バネ６４の端部にあるループは、作動レバー５０内に形成される穴６８に係合することができる。
【００３２】
図５、図６及び図１０に見られるように、作動レバー５０はまた、アーム６２を含むことができる。バネ６４は、作動レバーを上方に押し付ける。図１１に示すように、アーム６２の端部は、作動レバー５０がその最上位置にある際に、第１支持体３８の一部に支持されることができる。
【００３３】
作動レバー５０はまた、スライド式アイドラギア２８と係合する歯状縁部７２を含むことができる。スライド式アイドラギア２８は、細長い取り付け穴７４を含み、該取り付け穴７４を貫通して延びるピン７６によりハウジング１２に取り付けられる。ギア２８はまた、作動レバー５０の位置及び動きに応じて、第１ローラ２４の歯状端部２５に係合することができる。
【００３４】
図８に示すように、作動レバー５０が下方に移動されると、歯状縁部７２はスライド式アイドラギア２８と係合する。歯状縁部７２はギア２８を下方に移動させ、ギア２８が第１ローラ２４の歯状端部２５と係合するようにする。作動レバー５０及び歯状縁部７２が連続して下方に移動すると、ギア２８が時計方向に回転する。図８に矢印で示すように、このギア２８の運動は、第１ローラ２４を反時計方向に回転させる。第１ローラ２４の反時計回りの回転は、特定の実施形態において、第２ローラ２６の時計回りの運動を生じさせる。従って、ニップ２７内に配置された材料は、下方に移動してディスペンサ１０の外に出る。
【００３５】
作動レバー５０が解放されると、バネ６４が作動レバー５０を上方に押し付ける。図９に見られるように、歯状縁部７２は、ギア２８をスライドさせて第１ローラ２４の歯状端部２５との係合を解除し、その上方位置に向かって上方に移動する。このようにして、作動レバー５０は元の位置に戻り、第１ローラ２４を固定状態のままにして材料をニップ２７内に保持することを可能にする。次いで、使用者は、取り出された材料をディスペンサ１０のカバー１４に向かって引くことができ、ここで取り出された材料がカッタ３０によりロール材料から切り離される。
【００３６】
本発明によるディスペンサの実施形態をサービスするために、カバー１４はその開位置まで動かされる。部分的に使用された材料がディスペンサ１０内に配置されている場合、該ロールは、第１及び第２のロール支持体３６及び３８のそれぞれから取り外すことができる。部分的に使用されたロールすなわち「スタブ」ロールは、該スタブロールの両側部がスタブロール支持体９６に係合するようにディスペンサ１０内に位置付けることができる。スタブロールは、時計方向又は反時計方向のいずれかの方向に回転するように配向することができる。スタブロール材料の少なくとも一部分は、第１ローラ２４上に延びるように位置付けられる。スタブロール材料が第１ローラ２４の上に延びるようにスタブロールがスタブロール支持部材９６に係合した後、スタブロールの前縁は外方に引くことができる。
【００３７】
新しいロール材料を挿入するために、ロールの両側部がハウジング１２の両側部２０及び２１におおよそ平行になるようにロールを保持することができる。新しいロール材料は、時計方向又は反時計方向のいずれかの方向に回転するように配向することができる。ロール材料がハウジング１２内に移される際に、ロールの両側部は、第１及び第２のロール支持体３６及び３８の面取り面４２にそれぞれ係合することができる。ロールがハウジング１２内に十分に挿入されるまで、ロール支持体の片方又は両方をロールの両側部から離れる方向に押し付けることができ、これにより係合部材４０がロールの中心部分に係合するようにする。ロール材料は、該材料の一部分が第１ローラ２４上に位置付けられるようにハウジング１２内に配置される。材料の前縁部はまた、ハウジング１２の取り出し部分１８内に位置付けることができる。
【００３８】
次いで、カバー１４は、その閉位置まで動かすことができる。第２ローラ２６が下方に移動して第１ローラ２４に隣接すると、材料はニップ２７内に保持され、従って、カバー１４をその閉位置まで動かす前に材料の前縁部をローラ間に送り込む必要が無くなる。
【００３９】
本発明は、その発明の特徴の範囲及び精神から逸脱することなく、他の特定の形態で実施することができる。従って、本実施形態は、あらゆる点で例示的なものであり限定的ではないものとみなされるべきであり、本発明の範囲は、前述の説明ではなく添付の特許請求の範囲により示され、従って、該特許請求の範囲の等価物の目的及び範囲内にある全ての変更は、その中に包含されることが意図される。
【図面の簡単な説明】
【００４０】
【図１】閉位置にあるディスペンサのカバーを示す、本発明によるディスペンサの一実施形態の透視図である。
【図２】開位置にあるディスペンサのカバーを示す、本発明によるディスペンサの一実施形態の別の透視図である。
【図３】開位置にあるディスペンサのカバーを示す、本発明によるディスペンサの一実施形態の更に別の透視図である。
【図４】本発明によるディスペンサの一実施形態の取り出し機構の部分透視切欠図である。
【図５】全体を線５−５で示す面に沿った、図１に示すディスペンサの断面図である。
【図６】全体を線６−６で示す面に沿った、図２に示すディスペンサの断面図である。
【図７】全体を線７−７で示す面に沿った、図２に示すディスペンサの断面図である。
【図８】本発明の一実施形態の部分断面切欠図である。
【図９】本発明の一実施形態の別の部分断面切欠図である。
【図１０】本発明の支持体の一実施形態の部分図である。
【図１１】圧縮された位置の支持体を示す、全体を図１０の線１１−１１で示す面に沿った断面図である。
【図１２】圧縮された位置の支持体を示す、本発明の支持体の別の実施形態の断面図である。
【符号の説明】
【００４１】
１０  ディスペンサ
１４  カバー
１７  第２取り出し領域
１８  第１取り出し領域
２４  第１ローラ
２６  第２ローラ
５０  作動レバー
５２  作動ハンドル
５６  スロット
【図１】
2005525833.tif 000003
【図２】
2005525833.tif 000004
【図３】
2005525833.tif 000005
【図４】
2005525833.tif 000006
【図５】
2005525833.tif 000007
【図６】
2005525833.tif 000008
【図７】
2005525833.tif 000009
【図８】
2005525833.tif 000010
【図９】
2005525833.tif 000011
【図１０】
2005525833.tif 000012
【図１１】
2005525833.tif 000013
【図１２】
2005525833.tif 000014
【国際調査報告】
2005525833.tif 000015
2005525833.tif 000016